(57)【特許請求の範囲】
【請求項１】
メニュー又はアイコンを表示する表示部と、
前記表示部の周辺に配設され、照度を検出する複数の照度検出部と、
前記複数の照度検出部の検出した照度に基づいて、前記表示部に表示するメニュー又はアイコンの配置を制御する表示制御部と、を備える携帯端末装置であって、
前記表示制御部は、前記複数の照度検出部のうち、高い照度を検出した照度検出部よりも低い照度を検出した照度検出部の近くに多くのメニュー又はアイコンが配置されるように制御する携帯端末装置。
【請求項２】
前記複数の照度検出部は、前記表示部の右側に配設された照度検出部と、前記表示部の左側に配設された照度検出部とを有し、
前記表示制御部は、前記表示部の右側に配設された照度検出部よりも前記表示部の左側に配設された照度検出部の検出した照度が低い場合は、前記表示部の右側よりも前記表示部の左側に多くのメニュー又はアイコンを配置し、前記表示部の左側に配設された照度検出部よりも前記表示部の右側に配設された照度検出部の検出した照度が低い場合は、前記表示部の左側よりも前記表示部の右側に多くのメニュー又はアイコンを配置が配置されるように制御する請求項１に記載の携帯端末装置。
【請求項３】
前記複数の照度検出部は、前記表示部の上側に配設された照度検出部と、前記表示部の下側に配設された照度検出部とを有し、
前記表示制御部は、前記表示部の上側に配設された照度検出部よりも前記表示部の下側に配設された照度検出部の検出した照度が低い場合は、前記表示部の上側よりも前記表示部の下側に多くのメニュー又はアイコンを配置し、前記表示部の下側に配設された照度検出部よりも前記表示部の上側に配設された照度検出部の検出した照度が低い場合は、前記表示部の下側よりも前記表示部の上側に多くのメニュー又はアイコンを配置が配置されるように制御する請求項１に記載の携帯端末装置。
【請求項４】
前記表示部に表示されるメニュー又はアイコンに対する操作を検出する操作検出部と、
前記操作検出部の検出したメニュー又はアイコンに対する操作の回数を記憶する操作回数記憶部と、を備え、
前記表示制御部は、前記複数の照度検出部のうち、高い照度を検出した照度検出部よりも低い照度を検出した照度検出部の近くに操作の回数の多いメニュー又はアイコンが配置されるように制御する請求項１乃至請求項３のいずれか１項に記載の携帯端末装置。
【請求項５】
前記表示制御部は、前記複数の照度検出部のうち、高い照度を検出した照度検出部よりも低い照度を検出した照度検出部の近くに予め設定され、又は、定められたメニュー又はアイコンが配置されるように制御する請求項１乃至請求項３のいずれか１項に記載の携帯端末装置。
【請求項６】
前記複数の照度検出部は、前記表示部の表示がなされる面と同じ面の照度を検出する請求項１乃至請求項５のいずれか１項に記載の携帯端末装置。
【発明の詳細な説明】
【技術分野】
【０００１】
本発明は、携帯電話機、ＰＤＡ、スマートフォン等の携帯端末装置に関するものである。
【背景技術】
【０００２】
携帯電話機等の携帯無線通信機においては、携帯無線通信機の使用されている環境の明るさを光センサが検知し、その検知された明るさとメモリに保持された使用環境の明るさの基準となるしきい値とを比較し、所定値以下である暗い状態（すなわち、携帯無線通信機がバック等に収納されていて使用している環境が暗いという状態）では、電源から液晶表示手段への電力の供給を遮断して電力消費を抑制することが知られている（例えば、特許文献１参照）。
【先行技術文献】
【特許文献】
【０００３】
【特許文献１】特開平９−２２４０００号公報
【発明の概要】
【発明が解決しようとする課題】
【０００４】
しかしながら、前記従来の構成では、所定値以下である暗い状態では、電源から液晶表示手段への電力の供給を遮断して電力消費を抑制するが、液晶表示手段等の表示部に表示されるメニュー又はアイコンの操作性に関しては何らの改善がなされていない。
【０００５】
例えば、太陽光、木漏れ日等の直射日光が表示部の表示面のうちの一部分に入射する場合のように、表示部の表示面のうちの一部分に入射する外光の照度が高く、他の部分に入射する外光の照度が低い場合には、入射する外光によって表示部に表示されるメニュー又はアイコンが見づらくなる。その結果、これらのメニュー又はアイコンに対する操作性が悪くなるという課題がある。
【０００６】
本発明は、前記従来の課題を解決するもので、例えば、太陽光、木漏れ日等の直射日光が表示部の表示面のうちの一部分に入射する場合のように、表示部の表示面のうちの一部分に入射する外光の照度が高く、他の部分に入射する外光の照度が低い場合に、表示部に表示するメニュー又はアイコンの操作性を向上させることができる携帯端末装置を提供することを目的とする。
【課題を解決するための手段】
【０００７】
前記従来の課題を解決するために、本発明の携帯端末装置は、メニュー又はアイコンを表示する表示部と、前記表示部の周辺に配設され、照度を検出する複数の照度検出部と、前記複数の照度検出部の検出した照度に基づいて、前記表示部に表示するメニュー又はアイコンの配置を制御する表示制御部と、を備える。
【０００８】
この構成により、例えば、太陽光、木漏れ日等の直射日光が表示部の表示面のうちの一部分に入射する場合のように、表示部の表示面のうちの一部分に入射する外光の照度が高く、他の部分に入射する外光の照度が低い場合に、表示部に表示するメニュー又はアイコンの操作性を向上させることができる。
【発明の効果】
【０００９】
本発明の携帯端末装置によれば、例えば、太陽光、木漏れ日等の直射日光が表示部の表示面のうちの一部分に入射する場合のように、表示部の表示面のうちの一部分に入射する外光の照度が高く、他の部分に入射する外光の照度が低い場合に、表示部に表示するメニュー又はアイコンの操作性を向上させることができる。
【図面の簡単な説明】
【００１０】
【図１】本発明の実施の形態１に係る携帯端末装置１００の概略構成を示すブロック図
【図２】本発明の実施の形態１に係る携帯端末装置１００のアイコン表示の並べ替えを示す概略図
【図３】本発明の実施の形態１に係る携帯端末装置１００の外観図
【図４】図３に示した携帯端末装置１００の動作を説明するフローチャート
【図５】本発明の実施の形態１に係る携帯端末装置１００の照度検出部３の他の配置を示す外観図
【図６】図５に示した携帯端末装置１００の動作を説明するフローチャート
【図７】本発明の実施の形態１に係る携帯端末装置１００において、操作履歴を優先順位をつけて記憶する動作を説明するフローチャート
【発明を実施するための形態】
【００１１】
以下本発明を実施するための形態について、図面を参照しながら説明する。
【００１２】
（実施の形態１）
図１は、本発明の実施の形態１に係る携帯端末装置１００の概略構成を示すブロック図である。
【００１３】
図１に示すように、本発明の実施の形態１の携帯端末装置１００は、表示部５と、複数の照度検出部３と、表示制御部４と、を備える。また、携帯端末装置１００は、操作検出部１と、操作履歴記憶部２と、を備える。
【００１４】
表示部５は、メニュー又はアイコン等を表示する。また、表示部５には、具体的には、例えば、液晶表示部、有機ＥＬ表示部等を用いることができる。
【００１５】
複数の照度検出部３は、表示部５の周辺に配設され、照度を検出する。具体的には、複数の照度検出部３は、表示部５の表示がなされる面と同じ面に配設されて照度を検出する。例えば、複数の照度検出部３として、表示部５の右側に配設された照度検出部３と、表示部５の左側に配設された照度検出部３との２つの照度検出部３を有するようにすることもできる。また、例えば、複数の照度検出部３として、表示部５の上側に配設された照度検出部３と、表示部５の下側に配設された照度検出部３を有するようにすることもできる。これらの照度検出部３には、具体的には、例えば、フォトダイオード型やフォトレジスタ型の照度センサ等を用いることができる。
【００１６】
表示制御部４は、複数の照度検出部３の検出した照度に基づいて、表示部５に表示するメニュー又はアイコンの配置を制御する。具体的には、表示制御部４は、複数の照度検出部３のうち、高い照度を検出した照度検出部３よりも低い照度を検出した照度検出部３の近くに多くのメニュー又はアイコンが配置されるように制御する。
【００１７】
例えば、複数の照度検出部３として、表示部５の右側に配設された照度検出部３と、表示部５の左側に配設された照度検出部３とを有するようにした場合には、表示制御部４は、表示部５の右側に配設された照度検出部３よりも表示部５の左側に配設された照度検出部３の検出した照度が低い場合は、表示部５の右側よりも表示部５の左側に多くのメニュー又はアイコンを配置する。そして、この場合、表示制御部４は、表示部５の左側に配設された照度検出部３よりも表示部５の右側に配設された照度検出部３の検出した照度が低い場合は、表示部５の左側よりも表示部５の右側に多くのメニュー又はアイコンを配置が配置されるように制御する。
【００１８】
また、例えば、複数の照度検出部３として、表示部５の上側に配設された照度検出部３と、表示部５の下側に配設された照度検出部３とを有するようにした場合には、表示制御部４は、表示部５の上側に配設された照度検出部３よりも表示部５の下側に配設された照度検出部３の検出した照度が低い場合は、表示部５の上側よりも表示部５の下側に多くのメニュー又はアイコンを配置する。そして、この場合、表示制御部４は、表示部５の下側に配設された照度検出部３よりも表示部５の上側に配設された照度検出部３の検出した照度が低い場合は、表示部５の下側よりも表示部５の上側に多くのメニュー又はアイコンを配置が配置されるように制御する。
【００１９】
操作検出部１は、表示部５に表示されるメニュー又はアイコンに対する操作を検出する。操作検出部１は、具体的には、キーやタッチパネルを用いることができる。例えば、操作検出部１としての透明なタッチパネルを、表示部５の上に重ねて配設するようにする。
【００２０】
操作履歴記憶部２は、操作検出部１の検出したメニュー又はアイコンに対する操作の回数を記憶する。
【００２１】
操作検出部１と、操作履歴記憶部２とを備えることにより、表示制御部４は、複数の照度検出部３のうち、高い照度を検出した照度検出部３よりも低い照度を検出した照度検出部３の近くに操作の回数の多いメニュー又はアイコンが配置されるように制御することもできる。
【００２２】
また、表示制御部４は、複数の照度検出部３のうち、高い照度を検出した照度検出部３よりも低い照度を検出した照度検出部３の近くに予め設定され、又は、定められたメニュー又はアイコンが配置されるように制御することもできる。
【００２３】
図２は、本発明の実施の形態１に係る携帯端末装置１００のアイコン表示の並べ替えを示す概略図である。表示制御部４の制御により、以下のアイコン表示の並べ替えが行われる。
【００２４】
表示部５にはアイコン５１を並べて表示する。なお、図２において、アイコン５１に示しているＡ、Ｂ、Ｃは、アイコン表示の優先度を示したもので、Ａ、Ｂ、Ｃの順に優先度が低くことを示している。
【００２５】
表示部５において、暗い部分から明るい部分に向かって、優先度の高いアイコン（Ａ）から順に優先度の低いアイコン（Ｂ、Ｃ）を配置する。
【００２６】
表示部５において、左側が暗く、右側が明るいとき、表示部５の左側に優先度の高いアイコン（Ａ）を配置し、左側から右側に向かって、優先度順にアイコン（Ｂ）、アイコン（Ｃ）と配置する。なお、一般的に上側から下側に人間の視線は動くので、最も優先度の高いアイコンは、左上端に配置するのが好適である。
【００２７】
また、表示部５において、右側が暗く、左側が明るいとき、表示部５の右側に優先度の高いアイコン（Ａ）を配置し、右側から左側に向かって、優先度順にアイコン（Ｂ）、アイコン（Ｃ）と配置する。なお、一般的に上側から下側に人間の視線は動くので、最も優先度の高いアイコンは、右上端に配置するのが好適である。
【００２８】
また、表示部５において、上側が暗く、下側が明るいとき、表示部５の上側に優先度の高いアイコン（Ａ）を配置し、上側から下側に向かって、優先度順にアイコン（Ｂ）、アイコン（Ｃ）と配置する。なお、一般的に左側から右側に人間の視線は動くので、最も優先度の高いアイコンは、左上端に配置するのが好適である。
【００２９】
さらに、表示部５において、下側が暗く、上側が明るいとき、表示部５の下側に優先度の高いアイコン（Ａ）を配置し、下側から上側に向かって、優先度順にアイコン（Ｂ）、アイコン（Ｃ）と配置する。なお、一般的に左側から右側に人間の視線は動くので、最も優先度の高いアイコンは、左下端に配置するのが好適である。
【００３０】
図３は、本発明の実施の形態１に係る携帯端末装置１００の外観を示す図である。
【００３１】
図３に示すように、携帯端末装置１００の表示部５の下部に２つの照度検出部３が左右に配置されている。なお、図３に示す例では、照度検出部３を表示部５の下部に配置したが、表示部５の上部、もしくは、表示部５の左右の横の部分など、照度検出部３が左右に離れて配置するようにできれば良く、左右の距離は表示部５の左右間の幅程度が好適である。
【００３２】
図４は、図３に示した携帯端末装置１００の動作を説明するフローチャートである。
【００３３】
照度検出部３では、左右の照度検出（ステップＳ３０１）を行い、さらに、左右の照度比較（ステップＳ３０２）を行う。なお、左右の照度比較（ステップＳ３０２）は、表示制御部４で行うようにしてもよい。
【００３４】
表示制御部４では、左右の照度比較（ステップＳ３０２）の結果が、右側が明るい場合、メニュー配置座標基準を画面左上端に設定（ステップＳ４０１）を行い、一方、左側が明るい場合、メニュー配置座標基準を画面右上端に設定（ステップＳ４０２）を行い、操作履歴記憶部２から読み出した操作履歴を優先度順にメニュー選択（ステップＳ４０３）を行う。
【００３５】
これにより、表示部５では、優先度順にメニュー選択（ステップＳ４０３）した結果に基づき、アイコンの表示を行うが可能となる。
【００３６】
図５は、本発明の実施の形態１に係る携帯端末装置１００の照度検出部３の他の配置をを示す外観図である。
【００３７】
図３に示すように、携帯端末装置１００の表示部５の下部に２つの照度検出部３を左右に配置する代わりに、図５に示すように、携帯端末装置１００の表示部５の横方向の中心部の上部と下部に照度検出部３を配置することもできる。なお、図５に示す例では、照度検出部３を表示部５の横方向の中心部に配置したが、表示部5の横方向の中心より左側、もしくは、表示部5の横方向の中心の右側など、照度検出部３が上下に離れて配置するようにできれば良く、上下の距離は表示部５の上下間の幅程度が好適である。
【００３８】
図６は、図５に示した携帯端末装置１００の動作を説明するフローチャートである。
【００３９】
照度検出部３では、上下の照度検出（ステップＳ３０３）を行い、さらに、上下の照度比較（ステップＳ３０４）を行う。なお、左右の照度比較（ステップＳ３０４）は、表示制御部４で行うようにしてもよい。
【００４０】
表示制御部４では、上下の照度比較（ステップＳ３０４）の結果が、下側が明るい場合、メニュー配置座標基準を画面左上端に設定（ステップＳ４０４）を行い、一方、上側が明るい場合、メニュー配置座標基準を画面左下端に設定（ステップＳ４０５）を行い、操作履歴記憶部２から読み出した操作履歴を優先度順にメニュー選択（ステップＳ４０６）を行う。
【００４１】
これにより、表示部５では、優先度順にメニュー選択（ステップＳ４０６）した結果に基づき、アイコンの表示を行うことが可能となる。
【００４２】
図７は、本発明の実施の形態１に係る携帯端末装置１００の操作履歴を、優先順位をつけて記憶する動作を説明するフローチャートである。
【００４３】
表示部５では、メニュー表示（ステップＳ５０１）を行う。メニュー表示（ステップＳ５０１）はメニューに対応付けられたアイコンのほかに、文字列などで表示するようにしても良い。
【００４４】
ユーザは、表示部５のメニュー表示（ステップＳ５０１）に対応して、操作検出部１を操作し、メニュー選択（ステップＳ１０１）を行う。
【００４５】
操作検出部1は、表示部５に重ねて配設されたタッチパネルの場合、表示部５のアイコンが表示された位置を指で触れることにより、前記アイコンに対応したメニューを選択することができる。
【００４６】
また、操作検出部１は、表示部５に表示されるメニューに対応するアイコンごとに数字キー、記号キーなどのキーに割り当てても良い。
【００４７】
操作履歴記憶部２では、操作検出部１でのメニュー選択（ステップＳ１０１）の履歴を記録する。例えば、メニューごとに選択回数を記録する（ステップＳ２０１）。
【００４８】
そして、表示制御部４は、メニューに対応したアイコン５１の優先度を、図７のステップＳ２０１で記録しておいたメニューごとの選択回数に基づいて決定するようにすることもできる（図４又は図６のステップＳ４０３参照）。例えば、選択回数の多い順に、優先度を高くするのが好適である。
【００４９】
これにより、表示制御部４は、前記複数の照度検出部３のうち、高い照度を検出した照度検出部３よりも低い照度を検出した照度検出部の近くに操作の回数の多いメニュー又はアイコンが配置されるように制御することが可能となる。
【００５０】
なお、本実施の形態１において、表示制御部４は、複数の照度検出部３のうち、高い照度を検出した照度検出部３よりも低い照度を検出した照度検出部３の近くに予め設定され、又は、定められたメニュー又はアイコンが配置されるように制御するようにすることが好適である。これにより、複数のメニューの優先度が均衡している場合に、頻繁にメニューが入れ替わるのを抑制することが可能となる。
【００５１】
また、本実施の形態１において、複数の照度検出部３は、表示部５の表示がなされる面と同じ面の照度を検出するようにすることが好適である。これにより、表示部５の表示がなされる面の照度を、位置の精度を保持して検出することが可能となる。
【００５２】
以上で説明したように、本発明の実施の形態１の携帯端末装置によれば、例えば、太陽光、木漏れ日等の直射日光が表示部５の表示面のうちの一部分に入射する場合のように、表示部５の表示面のうちの一部分に入射する外光の照度が高く、他の部分に入射する外光の照度が低い場合に、表示部５に表示するメニュー又はアイコンの操作性を向上させることができる。
【産業上の利用可能性】
【００５３】
本発明の携帯端末装置によれば、例えば、太陽光、木漏れ日等の直射日光が表示部の表示面のうちの一部分に入射する場合のように、表示部の表示面のうちの一部分に入射する外光の照度が高く、他の部分に入射する外光の照度が低い場合に、表示部に表示するメニュー又はアイコンの操作性を向上させることができる。このため、本発明は、携帯端末装置等として有用である。
【符号の説明】
【００５４】
１    操作検出部
２    操作履歴記憶部
３    照度検出部
４    表示制御部
５    表示部
５１    アイコン
１００    携帯端末装置
【図１】
0005146511.tif 000002
【図２】
0005146511.tif 000003
【図３】
0005146511.tif 000004
【図４】
0005146511.tif 000005
【図５】
0005146511.tif 000006
【図６】
0005146511.tif 000007
【図７】
0005146511.tif 000008